(57)【特許請求の範囲】
【請求項１】
タイル搬送用のコンベアと、そのコンベアの上方に位置してコンベア上のタイルに粉体を散布する散布手段と、前記コンベアより低所に位置し散布手段から排出される粉体を受ける粉体回収手段とを有するタイル用粉体散布装置において、
前記散布手段に散布ルートと余剰排出ルートを形成し、散布手段にある粉体を散布ルートからタイル表面に向けて散布すると共に余剰排出ルートより粉体回収手段に向けて排出するようになし、さらに粉体回収手段と散布手段を粉体回帰手段で連結することにより粉体回収手段で回収した粉体を散布手段に戻すようにしたことを特徴とするタイル用粉体散布装置。
【請求項２】
前記散布手段は、樋状で底面が網構造である篩容器を緩傾斜させ且つその篩容器を振動させるようにした振動篩機で構成し、前記篩容器の底面を散布ルートとし、一方、篩容器の散布ルートより下流域に排出口を設けて余剰排出ルートとした請求項１記載のタイル用粉体散布装置。
【発明の詳細な説明】
【０００１】
【発明の属する技術分野】
本発明は、タイルの表面に滑り止め又は装飾用の粉体を散布するタイル用粉体散布装置に関する。なお、本発明において粉体の概念には、細かい粒体も含まれる。
【０００２】
【従来の技術】
タイルの表面に滑り止め用の粉体を散布するタイル用粉体散布装置が例えば特開昭５３−１２９１５号に開示されている。このタイル用粉体散布装置は粉体を落下させる散布手段と、その散布手段の下を通るタイル搬送用のコンベアと、前記コンベアより低所に位置し散布手段から落下した粉体の余剰分を回収する余剰粉受け容器を設けてなる。前記散布手段は底面に透孔を穿設したホッパーで構成されており、その透孔から粉体を散布する。
【０００３】
【発明が解決しようとする課題】
従来のタイル用粉体散布装置の散布手段は、ホッパーに粉体散布用の透孔があるのみであり粉体を散布する散布ルートしか設けられていない。散布ルートから散布する粉体量は意図的に増減する場合があるなど一定とは限らないためホッパー内の粉体の残量に細心の注意を払う必要があり、もし粉体の供給タイミングが遅れれば即製品不良に直結する不具合がある。また、前記のように粉体の供給タイミングが一定でないことが散布手段への粉体供給の自動化を困難なものにしていた。
【０００４】
本発明は上記に鑑みなされたもので、その目的は粉体の散布量を安定させると共に散布手段への粉体供給の自動化を可能にしたタイル用粉体散布装置を提供することにある。
【０００５】
【課題を解決するための手段】
上記の目的を達成するため本発明は、タイル搬送用のコンベアと、そのコンベアの上方に位置してコンベア上のタイルに粉体を散布する散布手段と、前記コンベアより低所に位置し散布手段から排出される粉体を受ける粉体回収手段とを有するタイル用粉体散布装置において、前記散布手段に散布ルートと余剰排出ルートを形成し、散布手段にある粉体を散布ルートからタイル表面に向けて散布すると共に余剰排出ルートより粉体回収手段に向けて排出するようになし、さらに粉体回収手段と散布手段を粉体回帰手段で連結することにより粉体回収手段で回収した粉体を散布手段に戻すようにしたタイル用粉体散布装置を提供する。
【０００６】
本発明のタイル用粉体散布装置は、散布手段と粉体回収手段と粉体回帰手段の間で粉体を循環させ、散布手段において散布ルートと余剰排出ルートに粉体を分岐させるようにしたため、散布手段に対して常に散布に必要な量を超える、つまり粉体を多めに供給しておけば散布ルートからはほぼ一定量の粉体が散布され残りは余剰排出ルートから粉体回収手段に排出される。装置全体を循環する粉体量は散布量に比べて格段に多いため粉体の残量に神経質になる必要がなく、また、粉体の散布量が安定しているから製品不良が殆ど発生しない。
【０００７】
【発明の実施の形態】
以下に本発明の実施の形態を図面を参照しつつ説明する。なお、図１はタイル用粉体散布装置の縦断面図、図２は図１のＺ−Ｚ線断面図、図３はタイル用粉体散布装置の斜視図である。
【０００８】
タイル用粉体散布装置１は、図示したようにタイル搬送用のコンベア２と、粉体３を落下させる散布手段４と、粉体３を回収する粉体回収手段５と、粉体回収手段５で回収した粉体３を集めて前記散布手段４に戻す粉体回帰手段６と、から概略構成される。
【０００９】
前記コンベア２は断面四角形の無端ベルト２ａ，２ａを二本レール状に並べてプーリ（図示せず）間に張設したものである。各無端ベルト２ａ，２ａは一つの角部を上向き（いわゆるダイヤ形）にして使用し、もってタイルＴを山形の頂部で受け支える。
【００１０】
このコンベア２の搬送面を跨ぐようにして台フレーム７が設置されており、その台フレーム７上にゴム等の弾性体８を介して散布手段４が設置されている。散布手段４は、上面に開口４ａを有する円筒形の樋形態で底面開口に網板４ｂを張ってなる篩容器４ｃを緩傾斜させ且つその篩容器４ｃを振動モータ４ｄで振動させるようにした振動篩機である。この散布手段４において篩容器４ｃの底面開口の網板４ｂを通り抜ける粉体３の流路が散布ルート４ｘであり、一方、篩容器４ｃの散布ルート４ｘより下流域に排出口４ｅを設けてそこから抜ける粉体３の流路が余剰排出ルート４ｙである。なお、前記網板４ｂは篩容器４ｃに対して着脱自在になっており、網目の粗さを変更したり或いは損傷した場合に交換し得る。また、篩容器４ｃの上面の開口４ａには粉体３を導き入れるガイド板４ｆが一体に設けられている。
【００１１】
一方、前記台フレーム７にはコンベア２を挟んだ散布手段４の下側に粉体回収手段５が取り付けられている。この粉体回収手段５は、断面ほぼ半円形で上面が開口する回収容器５ａと、その回収容器５ａ内に回転自在に配設したスクリュー型のコンベア５ｂと、そのコンベア５ｂを回転させるモータ５ｃとからなり、回収容器５ａに入った粉体３をスクリュー型のコンベア５ｂで回収容器５ａの一方端に向けて搬送する。なお、コンベア５ｂは粉体３の搬送に適したブラシ製のスクリューを使用する。
【００１２】
前記粉体回収手段５は散布手段４の散布ルート４ｘと余剰排出ルート４ｙの双方に対応しており、散布ルート４ｘから散布された粉体３と、余剰排出ルート４ｙから排出された粉体３が回収容器５ａに入る。なお、回収容器５ａの上面開口には逆八字状に立設したガイド片５ｄが設けられており、このガイド片５ｄにより回収容器５ａ内への粉体３の受け入れを容易にしている。
【００１３】
前記粉体回収手段５と前記散布手段４は粉体回帰手段６で結ばれている。粉体回帰手段６は、図３に示したようにタワー状に立設した揚送リフト６ａと、前記散布手段４の上方に設置した供給調節部材６ｂとからなり、揚送リフト６ａの頂部と供給調節部材６ｂが上パイプ６ｃを介して連通し、また、揚送リフト６ａの下端と前記粉体回収手段５の一端が下パイプ６ｄを介して連通している。前記揚送リフト６ａは公知のバケットコンベアであり、角筒状の本体６ｅの上下にスプロケット（図示せず）を設置し、そのスプロケット間に掛け渡した無端チェーンで多数のバケット（図示せず）を上下方向に周回させ、上昇するバケットで粉体３を掬い上げると共に下降に転じたバケットが粉体３を放出する。なお、図３中符号６ｆは揚送リフト６ａ駆動用のモータである。
【００１４】
前記供給調節部材６ｂは粉体３を一時的に蓄えるホッパー６ｇと、そのホッパー６ｇの直下に設けた流量調節ローラ６ｈとからなる。ホッパー６ｇの下端の放出口６ｉの後縁と流量調節ローラ６ｈの周面はゴムなどの摺接部材を介して接触状態にあり、一方、放出口６ｉの前縁と流量調節ローラ６ｈの周面には隙間がある。従って流量調節ローラ６ｈを図２において反時計回りに回転させると、流量調節ローラ６ｈの上周面に載った粉体３が放出口６ｉの前縁との隙間を通り抜け、その粉体３が滝状になって散布手段４に落下する。散布手段４への粉体３の流量調節は流量調節ローラ６ｈの回転数を変更することにより自由に行える。なお、図１中符号６ｊは流量調節ローラ６ｈを回転させるモータである。
【００１５】
次に本発明のタイル用粉体散布装置１の使用方法について説明する。供給調節部材６ｂのホッパー６ｇにはタイルＴの表面に散布するための粉体３が充填され、また、揚送リフト６ａの内部にも粉体３がある。この状態で流量調節ローラ６ｈのモータ６ｊ、振動モータ４ｄ、スクリュー型コンベア５ｂ用のモータ５ｃ、揚送リフト６ａ駆動用のモータ６ｆを一斉に作動させると、先ずホッパー６ｇにある粉体３が流量調節ローラ６ｈの回転によって散布手段４の篩容器４ｃに落下する。この篩容器４ｃは振動モータ４ｄの作動で振動し且つ篩容器４ｃが緩傾斜しているため粉体３が振動しながら低所に向かって移動する。その間に粉体３の一部が網板４ｂを抜ける散布ルート４ｘを通ってコンベア２の上に散布され、残りの粉体３が余剰分として散布手段４の余剰排出ルート４ｙたる排出口４ｅから排出される。なお、コンベア２は断面四角形の無端ベルト２ａをダイヤ形になる向きに設定してあるため、粉体３が斜面を滑って積もり難い。
【００１６】
そして、散布ルート４ｘを通った粉体３と余剰排出ルート４ｙから排出された粉体３の全てが粉体回収手段５の回収容器５ａに入り、粉体回収手段５のコンベア５ｂに送られて回収容器５ａの端に送られる。回収容器５ａの端には下パイプ６ｄが接続されているため、その下パイプ６ｄを通って前記粉体３が揚送リフト６ａの下に流入し、さらにその粉体３が揚送リフト６ａの作動で頂部に揚送されそこから上パイプ６ｃを通ってホッパー６ｇに集められる。前記のようにホッパー６ｇにある粉体３は流量調節ローラ６ｈの回転で散布手段４に供給されるのであり、斯くの如く粉体３が循環する。
【００１７】
さて、上記のように粉体３を循環させた状態でタイル搬送用のコンベア２にタイルＴを上向きにして載せる。図示しないがコンベア２の上流には自動釉薬塗布装置が設けられており、そこでタイルＴの表面に釉薬が塗布され、その釉薬が乾く前にタイルＴが散布手段４の下を通る。前記のように散布手段４の散布ルート４ｘからは常時粉体３が散布されているから、タイルＴの表面にその粉体３が降り注がれ、釉薬の粘性によってそれが貼り付く。この状態のままタイルＴを移送して適宜焼成すれば、釉薬がタイルＴの表面に溶着し、その釉薬を結合材として粉体３がタイルＴの表面に貼り付く。粉体３が貼り付いたタイルＴの表面はざらざらな粗面になっているため滑り難い。また、タイル地と異なる色の粉体３を使用すれば細かな斑点模様のタイルＴを製造することができる。
【００１８】
なお、タイル用粉体散布装置１を循環する粉体３はタイルＴの表面に載った分だけ減少するため、定期的に揚送リフト６ａの粉体補充口６ｋ（図３参照）から補充する。言うまでもなく装置全体を循環する粉体量からすれば減少分は僅かであり、粉体補充の量やタイミングの許容範囲は比較的広い。
【００１９】
以上本発明を実施の形態について説明したが、もちろん本発明は上記実施形態に限定されるものではない。例えば、実施形態では揚送リフト６ａをバケット周回方式にしたが、エア搬送方式やスクリュー搬送方式の揚送リフトを使用してももちろんよい。また、散布手段４も振動篩機に限定されるものではなく、例えば実施形態の篩容器４ｃの傾斜角度をやや大きく設定して固定し、篩容器４ｃに入った粉体３が自重で滑って排出口４ｅから排出されるようにしてもよい。さらにまた、タイル搬送用のコンベア２は実施形態の他に網状の無端ベルトを使用するか或いは無端状ワイヤーを使用するようにしてもよい。
【００２０】
【発明の効果】
本発明のタイル用粉体散布装置は、散布手段と粉体回収手段と粉体回帰手段の間で粉体を循環させ、散布手段において散布ルートと余剰排出ルートに粉体を分岐させるようにしたため、散布手段に対して常に散布に必要な量を超える、つまり粉体を多めに供給しておけば散布ルートからはほぼ一定量の粉体が散布され残りは余剰排出ルートから粉体回収手段に排出される。装置全体を循環する粉体量は散布量に比べて格段に多いため粉体の残量に神経質になる必要がなく、また、粉体の散布量が安定しているから製品不良が殆ど発生しない効果がある。
【００２１】
また、請求項２のタイル用粉体散布装置は、篩容器を緩傾斜させた状態に支持して振動させるようにしたため、篩落としの振動で篩容器の傾斜に従い粉体が余剰排出ルートに向け自然に移動する。従って構造がシンプルで故障が少なく、製造コスト、メンテナンスコストの優位性が非常に高い。
【図面の簡単な説明】
【図１】  タイル用粉体散布装置の縦断面図である。
【図２】  図１のＺ−Ｚ線断面図である。
【図３】  タイル用粉体散布装置の斜視図である。
【符号の説明】
Ｔ  …タイル
１  …タイル用粉体散布装置
２  …タイル搬送用のコンベア
３  …粉体
４  …散布手段
４ｃ…篩容器
４ｅ…排出口
４ｘ…散布ルート
４ｙ…余剰排出ルート
５  …粉体回収手段
６  …粉体回帰手段
【図１】
0004413356.tif 000002
【図２】
0004413356.tif 000003
【図３】
0004413356.tif 000004